(57)【要約】【課題】  多数の放電管ランプが駆動される場合であっても異常検出回路の回路規模が大きくならないようにする。【解決手段】  この異常検出回路は、ダイオードＤ１，Ｄ２および出力回路３を有する。ダイオードＤ１は、放電管ランプ２Ａ，２Ｂを駆動する２つの同相の駆動電流のうちの一方の駆動電流値の正部分だけを透過させて半波整流する。ダイオードＤ２は、その２つの同相の駆動電流の他方の駆動電流値の負部分だけを透過させて半波整流する。出力回路３は、ダイオードＤ１の出力とダイオードＤ２の出力との和を平滑し出力する。【選択図】  図１
2010015884.tif 000002
【特許請求の範囲】
【請求項１】
少なくとも２本の放電管ランプを駆動する２つの同相の駆動電流または少なくとも１本の放電管ランプを駆動する互いに位相が反転した駆動電流のうちの一方の駆動電流値の正部分だけを透過させて半波整流する第１の整流素子と、
前記駆動電流の他方の駆動電流値の負部分だけを透過させて半波整流する第２の整流素子と、
前記第１の整流素子の出力と前記第２の整流素子の出力との和を平滑し出力する出力回路と、
を備えることを特徴とする異常検出回路。
【請求項２】
Ｎ組（Ｎ＞１）の放電管ランプをそれぞれ駆動する２つの同相の駆動電流または互いに位相が反転した駆動電流のうちの一方の駆動電流値の正部分だけを透過させて半波整流するＮ個の第１の整流素子と、
前記駆動電流のうちの他方の駆動電流値の負部分だけを透過させて半波整流するＮ個の第２の整流素子と、
前記第１の整流素子の出力と前記第２の整流素子の出力との和をそれぞれ平滑し出力するＮ個の出力回路と、
前記Ｎ個の出力回路による出力に基づいて異常が発生したか否かを判定する判定回路と、
を備えることを特徴とする異常検出回路。
【請求項３】
前記２つの同相の駆動電流または互いに位相が反転した駆動電流により駆動される２本の前記放電管ランプとグランドとの間の電流値を検出して整流する１つの電流検出回路を備え、
前記第１の整流素子は、前記２本の放電管ランプの一方を駆動する第１のトランスの二次側巻線の低圧側に接続され、
前記第２の整流素子は、前記２本の放電管ランプの他方を駆動する第２のトランスの二次側巻線の低圧側に接続されること、
を特徴とする請求項１または請求項２記載の異常検出回路。
【発明の詳細な説明】
【技術分野】
【０００１】
本発明は、異常検出回路に関するものである。
【背景技術】
【０００２】
放電管ランプは、駆動回路により高周波で高圧の駆動電圧を印加されて点灯する。このような放電管ランプの状態は、通常、放電管ランプの導通電流を測定することで監視される。この導通電流は、電流測定用抵抗の両端電圧をダイオードで整流し平滑回路で平滑することで直流電圧として測定される。複数の放電管ランプを駆動する場合、フィードバックループに異常検出回路を接続し、異常状態と判断したときに、フィードバック信号をグランドレベルにして回路を停止させる（例えば特許文献１参照）。また、別の異常検出方法として、通常動作時にランプ電流のバランスが取れるようにしておき、ショートなどの異常状態に起因してランプ電流のバランスが崩れると、異常が検出される（例えば特許文献２参照）。
【０００３】
【特許文献１】特開２００２−１１０３８８号公報
【特許文献２】特開２００５−２６７９２３号公報
【発明の開示】
【発明が解決しようとする課題】
【０００４】
しかしながら、特許文献１の回路では、放電管ランプに電流が導通している限り放電管ランプごとに導通電流のバラツキがあってもそれを検出することが困難であるため、経年劣化によって、放電管ランプのインピーダンスが高くなり導通電流のバラツキが生じてもそれを検出することが困難である。また、部品点数も多く回路規模が大きい。
【０００５】
また、特許文献２の回路では、位相差が１８０度の２つの駆動電流で放電管ランプを駆動する駆動回路（逆位相駆動回路）においては異常検出が可能であるが、位相差が０度の２つの駆動電流で放電管ランプを駆動する駆動回路（同位相駆動回路）においては異常検出が困難である。そのため、同位相駆動回路の異常検出を行うために、逆位相駆動回路の異常検出回路と全く異なる構成の異常検出回路を設計・実装しなければならず、異常検出回路の汎用性が低い。
【０００６】
本発明は、上記の問題に鑑みてなされたものであり、多数の放電管ランプが駆動される場合であっても回路規模が大きくならず、かつ、同位相駆動回路および逆位相駆動回路のいずれについての異常検出を行うことができるとともに、経年劣化による放電管ランプの導通電流のバラツキを検出することができる異常検出回路を得ることを目的とする。
【課題を解決するための手段】
【０００７】
上記の課題を解決するために、本発明では以下のようにした。
【０００８】
本発明に係る異常検出回路は、少なくとも２本の放電管ランプを駆動する２つの同相の駆動電流または少なくとも１本の放電管ランプを駆動する互いに位相が反転した駆動電流のうちの一方の駆動電流値の正部分だけを透過させて半波整流する第１の整流素子と、駆動電流の他方の駆動電流値の負部分だけを透過させて半波整流する第２の整流素子と、第１の整流素子の出力と第２の整流素子の出力との和を平滑し出力する出力回路とを備える。
【０００９】
これにより、多数の放電管ランプが駆動される場合であっても異常検出回路の回路規模が大きくならずに済む。
【００１０】
また、本発明に係る異常検出回路は、Ｎ組（Ｎ＞１）の放電管ランプをそれぞれ駆動する２つの同相の駆動電流または互いに位相が反転した駆動電流のうちの一方の駆動電流値の正部分だけを透過させて半波整流するＮ個の第１の整流素子と、駆動電流のうちの他方の駆動電流値の負部分だけを透過させて半波整流するＮ個の第２の整流素子と、第１の整流素子の出力と第２の整流素子の出力との和をそれぞれ平滑し出力するＮ個の出力回路と、Ｎ個の出力回路による出力に基づいて異常が発生したか否かを判定する判定回路とを備える。
【００１１】
これにより、多数の放電管ランプが駆動される場合であっても異常検出回路の回路規模が大きくならずに済む。
【００１２】
また、本発明に係る異常検出回路は、上記の異常検出回路のいずれかに加え、次のようにしてもよい。この場合、異常検出回路は、２つの同相の駆動電流または互いに位相が反転した駆動電流により駆動される２本の放電管ランプとグランドとの間の電流値を検出して整流する１つの電流検出回路を備える。第１の整流素子は、２本の放電管ランプの一方を駆動する第１のトランスの二次側巻線の低圧側に接続され、第２の整流素子は、２本の放電管ランプの他方を駆動する第２のトランスの二次側巻線の低圧側に接続される。
【００１３】
これにより、放電管ランプを駆動するトランスの二次側巻線の低圧側および放電管ランプの低圧側のいずれで異常があってもその異常を検出することができる。
【００１４】
【発明の効果】
【００１５】
本発明によれば、多数の放電管ランプが駆動される場合であっても異常検出回路の回路規模が大きくならず、かつ、同位相駆動回路および逆位相駆動回路のいずれについても同一の回路構成で異常検出を行うことができる。また、経年劣化による放電管ランプの導通電流のバラツキを検出することができる。
【発明を実施するための最良の形態】
【００１６】
以下、図に基づいて本発明の実施の形態を説明する。
【００１７】
実施の形態１．
図１は、本発明の実施の形態１に係る異常検出回路を含む放電管点灯回路の構成を示す回路図である。図１において、駆動回路１は、図示せぬ直流電源に接続され、例えばパルス幅制御（ＰＷＭ）でデューティを調節しつつスイッチング素子のオン／オフを繰り返すことで交流電圧を生成する回路である。
【００１８】
トランスＴ１は、駆動回路１により一次側巻線に印加される交流電圧を昇圧するトランスである。トランスＴ２は、駆動回路１により一次側巻線に印加される交流電圧を昇圧するトランスである。トランスＴ１およびトランスＴ２の一次側巻線には、同相の交流電圧が駆動回路１により印加される。また、トランスＴ１およびトランスＴ２の二次側巻線には、放電管ランプ２Ａ，２Ｂの駆動電流が同相となるように、放電管ランプ２Ａ，２Ｂが接続されている。
【００１９】
放電管ランプ２Ａ，２Ｂは、高圧高周波の交流電圧を印加されることで、駆動電流が導通し、発光するランプである。放電管ランプ２Ａ，２Ｂとしては、例えば冷陰極管が使用される。放電管ランプ２Ａの一端は、トランスＴ１の二次側巻線の高圧側端子に接続され、放電管ランプ２Ａの他端は、グランドに接続されている。放電管ランプ２Ｂの一端は、トランスＴ２の二次側巻線の高圧側端子に接続され、放電管ランプ２Ｂの他端は、グランドに接続されている。
【００２０】
このように、放電管ランプ２Ａ，２Ｂの駆動系が構成されている。次に、異常検出回路の構成について説明する。
【００２１】
抵抗Ｒ１，Ｒ２は電流検出用の抵抗である。トランスＴ１の二次側巻線の低圧側端子に抵抗Ｒ１の一端が接続され、抵抗Ｒ１の他端がグランドに接続されている。また、トランスＴ２の二次側巻線の低圧側端子に抵抗Ｒ２の一端が接続され、抵抗Ｒ２の他端がグランドに接続されている。
【００２２】
そして、トランスＴ１の二次側巻線の低圧側端子には、ダイオードＤ１のアノードが接続され、トランスＴ２の二次側巻線の低圧側端子には、ダイオードＤ２のカソードが接続される。ダイオードＤ１は、第１の整流素子の一例であり、ダイオードＤ２は、第２の整流素子の一例である。ダイオードＤ１のカソードとダイオードＤ２のアノードとが互いに接続され、その接続点とグランドとの間に、抵抗Ｒ３とコンデンサＣ１の並列回路が設けられる。コンデンサＣ１および抵抗Ｒ３の並列回路は、ダイオードＤ１の出力とダイオードＤ２の出力との和を平滑し出力する出力回路３を構成する。したがって、ダイオードＤ１とコンデンサＣ１は、抵抗Ｒ１を導通する放電管ランプ２Ａの駆動電流に対応する電圧を半波整流・平滑する回路となり、ダイオードＤ２とコンデンサＣ１は、抵抗Ｒ２を導通する放電管ランプ２Ｂの駆動電流に対応する電圧を半波整流・平滑する回路となり、抵抗Ｒ３の両端電圧は、ダイオードＤ１の出力とダイオードＤ２の出力との和を平滑した電圧となる。このため、抵抗Ｒ３の両端に現れる端子電圧は、放電管ランプ２Ａの駆動電流の振幅と放電管ランプ２Ｂの駆動電流の振幅とが等しければほぼゼロとなり、放電管ランプ２Ａの駆動電流の振幅が放電管ランプ２Ｂの駆動電流の振幅より大きければ、正の直流電圧となり、放電管ランプ２Ａの駆動電流の振幅が放電管ランプ２Ｂの駆動電流の振幅より小さければ、負の直流電圧となる。
【００２３】
抵抗Ｒ３とダイオードＤ１，Ｄ２との接続点Ｐには、抵抗Ｒ４の一端および抵抗Ｒ５の一端が接続され、抵抗Ｒ４の他端には、ダイオードＤ３のアノードが接続され、抵抗Ｒ５の他端には、ダイオードＤ４のカソードが接続されている。さらに、ダイオードＤ３のカソードには、コンデンサＣ２および抵抗Ｒ６による平滑回路が接続され、ダイオードＤ４のアノードには、コンデンサＣ３および抵抗Ｒ７による平滑回路が接続されている。また、ダイオードＤ３のカソードは、判定回路４の比較器１１に接続され、ダイオードＤ４のアノードは、判定回路４の比較器１２に接続されている。
【００２４】
判定回路４は、比較器１１，１２と、基準電圧発生回路１３，１４とを有し、抵抗Ｒ３とダイオードＤ１，Ｄ２との接続点Ｐの電圧（つまり、抵抗Ｒ３の両端電圧）に対応してダイオードＤ３により判定回路４に印加される正の検出電圧が所定の正の閾値を超えたか否か、および接続点Ｐの電圧（つまり、抵抗Ｒ３の両端電圧）に対応してダイオードＤ４により判定回路４に印加される負の検出電圧が所定の負の閾値を超えたか否かを判定し、それらの判定結果に基づいて、異常発生を検出する回路である。正の検出電圧が所定の正の閾値を超えた場合、および負の検出電圧が所定の負の閾値を超えた場合には、異常が発生したと判定される。判定回路４は、異常発生を検出した場合、駆動回路１に制御信号を供給し、駆動回路１の動作を停止させる。
【００２５】
基準電圧発生回路１３は、上述の正の閾値の電圧を生成する回路であり、基準電圧発生回路１４は、上述の負の閾値の電圧を生成する回路である。比較器１１は、接続点Ｐの電圧が正である場合のみ、基準電圧発生回路１３による正の閾値の電圧と正の検出電圧とを比較し、比較結果に応じた値の出力電圧を発生する回路である。比較器１２は、接続点Ｐの電圧が負である場合のみ、基準電圧発生回路１４による負の閾値の電圧と負の検出電圧とを比較し、比較結果に応じた値の出力電圧を発生する回路である。
【００２６】
次に、上記点灯回路における異常検出回路の動作について説明する。
【００２７】
（１）正常状態
【００２８】
図２は、正常状態での図１の回路における各部の電圧波形または電流波形の一例を示す図である。
【００２９】
正常状態では、トランスＴ１の二次側巻線、放電管ランプ２Ａおよび抵抗Ｒ１による閉回路に放電管ランプ２Ａの駆動電流が流れるとともに、トランスＴ２の二次側巻線、放電管ランプ２Ｂおよび抵抗Ｒ２による閉回路に放電管ランプ２Ｂの駆動電流が流れる。これにより、放電管ランプ２Ａ，２Ｂが点灯する。
【００３０】
このとき、トランスＴ１の二次側電圧とトランスＴ２の二次側電圧は同相でほぼ同一の電圧であるため、放電管ランプ２Ａの駆動電流と放電管ランプ２Ｂの駆動電流はほぼ同相でほぼ同一の振幅を有する。したがって、放電管ランプ２Ａの駆動電流に比例する抵抗Ｒ１の両端電圧ＶｉＬＡおよび放電管ランプ２Ｂの駆動電流に比例する抵抗Ｒ２の両端電圧ＶｉＬＢは、図２（Ａ），（Ｂ）に示すように、ほぼ同相でほぼ同一の振幅を有する。
【００３１】
そして、抵抗Ｒ１の両端電圧ＶｉＬＡはダイオードＤ１により半波整流されるため、ダイオードＤ１に導通する電流ＩＤ１は、図２（Ｃ）に示すように、正の電流のみとなる。また、抵抗Ｒ２の両端電圧ＶｉＬＢはダイオードＤ２により半波整流されるため、ダイオードＤ２に導通する電流ＩＤ２は、図２（Ｄ）に示すように、負の電流のみとなる。
【００３２】
正常状態では、振幅が同一である正半波整流電流と負半波整流電流がダイオードＤ１，Ｄ２から出力回路３へ出力されるため、接続点Ｐの電圧ｖｐは、図２（Ｅ）に示すようにほぼゼロとなる。
【００３３】
このため、判定回路４では、ダイオードＤ３，Ｄ４から判定回路４へ出力される正の検出電圧および負の検出電圧が、いずれも正の閾値以下であり、かつ負の閾値以上であるため、比較器１１，１２により異常は検出されない。
【００３４】
（２）トランスＴ２の二次側巻線の低圧側に異常がある場合
【００３５】
図３は、トランスＴ２の二次側巻線の低圧側に異常がある場合の、図１の回路における各部の電圧波形または電流波形の一例を示す図である。
【００３６】
トランスＴ２の二次側巻線の低圧側端子と抵抗Ｒ２との間の区間で回路オープンが発生したり、トランスＴ２の二次側巻線の低圧側端子がグランドへショートしたりした場合、抵抗Ｒ２には、放電管ランプ２Ｂの駆動電流が導通しないため、図３（Ｂ）に示すように、抵抗Ｒ２の両端電圧ｖｉＬＢはゼロとなる。
【００３７】
このため、図３（Ｄ）に示すように、ダイオードＤ２から出力回路３へ、負の電流が出力されない。したがって、ダイオードＤ１から出力回路３へ出力される正の電流のみが出力回路３へ出力されるため、接続点Ｐの電圧ｖｐは、ダイオードＤ１により検出された電圧を平滑したほぼ一定の正の電圧となる。
【００３８】
したがって、判定回路４では、ダイオードＤ３から判定回路４へ出力される正の検出電圧が所定の正の閾値より大きくなるため、比較器１１により異常が検出される。これにより、トランスＴ２の二次側巻線の低圧側に異常があることが検出される。
【００３９】
判定回路４は、異常を検出すると、制御信号を駆動回路１へ供給し、放電管ランプ２Ａ，２Ｂの駆動を停止させる。
【００４０】
（３）トランスＴ１の二次側巻線の低圧側に異常がある場合
【００４１】
図４は、トランスＴ１の二次側巻線の低圧側に異常がある場合の、図１の回路における各部の電圧波形または電流波形の一例を示す図である。
【００４２】
トランスＴ１の二次側巻線の低圧側端子と抵抗Ｒ１との間の区間で回路オープンが発生したり、トランスＴ１の二次側巻線の低圧側端子がグランドへショートしたりした場合、抵抗Ｒ１には、放電管ランプ２Ａの駆動電流が導通しないため、図４（Ａ）に示すように、抵抗Ｒ１の両端電圧ｖｉＬＡはゼロとなる。
【００４３】
このため、図４（Ｃ）に示すように、ダイオードＤ１から出力回路３へ、正の電流が出力されない。したがって、ダイオードＤ２から出力回路３へ出力される負の電流のみが出力回路３へ出力されるため、接続点Ｐの電圧ｖｐは、ダイオードＤ２により検出された電圧を平滑したほぼ一定の負の電圧となる。
【００４４】
したがって、判定回路４では、ダイオードＤ４から判定回路４へ出力される負の検出電圧が所定の負の閾値より小さくなるため、比較器１２により異常が検出される。これにより、トランスＴ１の二次側巻線の低圧側に異常があることが検出される。
【００４５】
判定回路４は、異常を検出すると、制御信号を駆動回路１へ供給し、放電管ランプ２Ａ，２Ｂの駆動を停止させる。
【００４６】
このようにして、トランスＴ１とトランスＴ２の２つの駆動系統のいずれかで発生した異常が検出され、どちらの系統で異常が発生したかも併せて検出される。
【００４７】
以上のように、上記実施の形態１によれば、ダイオードＤ１は、放電管ランプ２Ａ，２Ｂを駆動する２つの同相の駆動電流のうちの一方の駆動電流値の正部分だけを透過させて半波整流する。ダイオードＤ２は、その２つの同相の駆動電流の他方の駆動電流値の負部分だけを透過させて半波整流する。出力回路３は、ダイオードＤ１の出力とダイオードＤ２の出力との和を平滑し出力する。
【００４８】
これにより、多数の放電管ランプ２Ａ，２Ｂが駆動される場合であっても異常検出回路の回路規模が大きくならず、かつ、同位相駆動回路および逆位相駆動回路のいずれについても同一の回路構成で異常検出を行うことができる。また、経年劣化による放電管ランプの導通電流のバラツキを検出することができる。
【００４９】
さらに、従来の異常検出回路では、昇圧トランスの二次側巻線の高圧側端子からグランドまでの区間の異常は検出できるものの、昇圧トランスの二次側巻線の低圧側端子からグランドまでの区間の異常を検出することは困難である。二次側巻線の低圧側端子において回路オープンが発生すると、二次側巻線の低圧側端子から基板上のグランドパターンへのショートが発生しやすくなる。そして、二次側巻線の低圧側端子から基板上のグランドパターンへのショートが発生した場合、基板の燃焼が発生する可能性がある。したがって、二次側巻線の低圧側端子からグランドまでの区間の異常を検出することは重要である。上記実施の形態１によれば、二次側巻線の低圧側端子からグランドまでの区間の異常を検出することができる。
【００５０】
実施の形態２．
実施の形態２に係る異常検出回路は、実施の形態１に係る異常検出回路に加え、放電ランプ２Ａ，２Ｂの低圧側端子からグランドまでの区間の異常を検出可能としたものである。
【００５１】
図５は、本発明の実施の形態２に係る異常検出回路を含む放電管点灯回路の構成を示す回路図である。
【００５２】
図５に示す回路において、電流検出回路２１は、放電ランプ２Ａ，２Ｂの低圧側端子からグランドまでの区間を導通する電流の振幅を検出する回路である。
【００５３】
電流検出回路２１では、放電管ランプ２Ａ，２Ｂとグランドとの間に電流検出用の抵抗Ｒ１１が設けられ、ハイパスフィルタとしてのコンデンサＣ１１により放電管ランプ２Ａ，２Ｂとグランドとの間を流れる駆動電流の高周波成分が抽出され、その高周波成分が、ダイオードＤ１１，Ｄ１２による整流回路により整流され、整流された検出電圧がコンデンサＣ１２により平滑される。そして、抵抗Ｒ１２，Ｒ１３，Ｒ１４による分圧回路により、整流・平滑後の検出電圧が分圧される。この分圧回路の出力電圧は、抵抗Ｒ１１を導通する電流の振幅にほぼ比例する電圧となる。
【００５４】
そして、電流検出回路２１の出力電圧は、ダイオードＤ４の出力に加算される。このため、判定回路４の比較器１２への入力電圧は、電流検出回路２１の出力電圧とダイオードＤ４の出力電圧との和となる。これに合わせて、実施の形態２では、基準電圧発生回路１４は、定常時の電流検出回路２１の出力電圧分だけ、実施の形態１の場合より高い基準電圧を発生する。
【００５５】
したがって、放電ランプ２Ａ，２Ｂの低圧側端子からグランドまでの区間において、回路オープンまたはグランドへのショートが発生すると、電流検出回路２１の抵抗Ｒ１１を導通する電流が大きく減少するため、比較器１２への入力電圧が低下する。これにより、比較器１２の出力値が変化するため、判定回路４は、放電ランプ２Ａ，２Ｂの低圧側端子からグランドまでの区間の異常を検出する。
【００５６】
判定回路４は、異常を検出すると、制御信号を駆動回路１へ供給し、放電管ランプ２Ａ，２Ｂの駆動を停止させる。
【００５７】
なお、実施の形態２における異常検出回路のその他の構成および動作については実施の形態１の場合と同様であるので、その説明を省略する。
【００５８】
以上のように、上記実施の形態２によれば、電流検出回路２１は、２つの同相の駆動電流により駆動される２本の放電管ランプ２Ａ，２Ｂとグランドとの間の電流値を検出して整流する。そして、ダイオードＤ１は、放電管ランプ２Ａを駆動するトランスＴ１の二次側巻線の低圧側に接続され、ダイオードＤ２は、放電管ランプ２Ｂを駆動するトランスＴ２の二次側巻線の低圧側に接続される。
【００５９】
これにより、放電管ランプ２Ａ，２Ｂを駆動するトランスＴ１，Ｔ２の二次側巻線の低圧側および放電管ランプ２Ａ，２Ｂの低圧側のいずれで異常があってもその異常を検出することができる。
【００６０】
実施の形態３．
本発明の実施の形態３に係る異常検出回路は、Ｎ組（Ｎ＞１）の放電管ランプ２Ａ，２Ｂの各組の点灯回路における異常を検出する。
【００６１】
図６は、本発明の実施の形態３に係る異常検出回路を含む放電管点灯回路の構成を示す回路図である。図６に示すように、この放電管点灯回路は、複数Ｎ組の放電管ランプ２Ａ，２Ｂを点灯させる回路である。
【００６２】
図６においては、各組に対して実施の形態１と同様の異常検出回路が設けられている。ただし、判定回路４は、１つのみ設けられており、Ｎ組のダイオードＤ３のカソードが互いに接続されるとともに判定回路４の比較器１１に接続され、Ｎ組のダイオードＤ４のアノードが互いに接続されるとともに判定回路４の比較器１２に接続されている。
【００６３】
これにより、いずれかの組の点灯回路で異常が発生すると、判定回路４により検出される。判定回路４は、異常を検出すると、制御信号を各駆動回路１へ供給し、Ｎ組の放電管ランプ２Ａ，２Ｂの駆動を停止させる。
【００６４】
このように、判定回路４は、Ｎ個の出力回路３における接続点Ｐの電圧ｖｐに対応する電圧を入力され、その電圧に基づいて、異常の発生を検出する。つまり、判定回路４は、Ｎ個の出力回路３による出力に基づいて、異常が発生したか否かを判定していることになる。
【００６５】
なお、各異常検出回路の構成および動作および電流検出回路２１の構成および動作は、実施の形態１または２のものと同様であるので、その説明を省略する。
【００６６】
以上のように、上記実施の形態３によれば、Ｎ（Ｎ＞１）個のダイオードＤ１は、Ｎ組の放電管ランプ２Ａ，２Ｂをそれぞれ駆動する２つの同相の駆動電流のうちの一方の駆動電流値の正部分だけを透過させて半波整流する。Ｎ個のダイオードＤ２は、２つの駆動電流のうちの他方の駆動電流値の負部分だけを透過させて半波整流する。Ｎ個の出力回路３は、ダイオードＤ１の出力とダイオードＤ２の出力との和をそれぞれ平滑し出力する。そして、判定回路４は、Ｎ個の出力回路３による出力に基づいて異常が発生したか否かを判定する。
【００６７】
これにより、多数の放電管ランプが駆動される場合であっても異常検出回路の回路規模が大きくならずに済む。
【００６８】
また、上記実施の形態３によれば、各トランスＴ１，Ｔ２の二次側巻線の低圧側端子からグランドまでの区間の異常を検出することができる。
【００６９】
実施の形態４．
本発明の実施の形態４に係る異常検出回路は、実施の形態１に係る異常検出回路における電流検出用抵抗Ｒ１，Ｒ２の代わりに、電流検出用抵抗Ｒ２１，Ｒ２２を設け、その抵抗Ｒ２１，Ｒ２２にダイオードＤ１，Ｄ２をそれぞれ接続して、その箇所の導通電流の異常を検出可能としたものである。
【００７０】
図７は、本発明の実施の形態４に係る異常検出回路を含む放電管点灯回路の構成を示す回路図である。
【００７１】
実施の形態４では、トランスＴ１，Ｔ２の二次側巻線の低圧側端子はグランドに接続される。また、電流検出用の抵抗Ｒ２１の一端が放電管ランプ２Ａの低圧側端子に接続され、その他端がグランドに接続され、電流検出用の抵抗Ｒ２２の一端が放電管ランプ２Ｂの低圧側端子に接続され、その他端がグランドに接続されている。
【００７２】
そして、ダイオードＤ１のアノードは、抵抗Ｒ２１の一端に接続され、ダイオードＤ２のカソードは、抵抗Ｒ２２の一端に接続されている。
【００７３】
したがって、実施の形態４に係る異常検出回路では、放電ランプ２Ａ，２Ｂの低圧側端子からグランドまでの区間の異常が検出される。
【００７４】
なお、実施の形態４に係る異常検出回路のその他の構成および動作については、実施の形態１のものと同様であるので、その説明を省略する。
【００７５】
以上のように、上記実施の形態４によれば、ダイオードＤ１は、放電管ランプ２Ａ，２Ｂを駆動する２つの同相の駆動電流のうちの一方の駆動電流値の正部分だけを透過させて半波整流する。ダイオードＤ２は、その２つの同相の駆動電流の他方の駆動電流値の負部分だけを透過させて半波整流する。出力回路３は、ダイオードＤ１の出力とダイオードＤ２の出力との和を平滑し出力する。
【００７６】
これにより、多数の放電管ランプ２Ａ，２Ｂが駆動される場合であっても異常検出回路の回路規模が大きくならずに済む。
【００７７】
なお、上述の各実施の形態は、本発明の好適な例であるが、本発明は、これらに限定されるものではなく、本発明の要旨を逸脱しない範囲において、種々の変形、変更が可能である。
【００７８】
例えば、上記各実施の形態では、放電管ランプとして、１つの駆動回路１により、２本の放電管ランプ２Ａ，２Ｂが駆動されているが、２本の放電管ランプ２Ａ，２Ｂのかわりに、１本の放電管ランプ、Ｕ字管ランプ、疑似Ｕ字管ランプなどを両端から駆動するようにしてもよい。その場合、ランプを駆動する２つの駆動電流は、互いに位相が反転した２つの駆動電流とされる。また、２本の放電管ランプ２Ａ，２Ｂを互いに位相が反転した２つの駆動電流で駆動するようにしてもよい。
【産業上の利用可能性】
【００７９】
本発明は、例えば、冷陰極管の点灯回路についての異常検出回路に適用可能である。
【図面の簡単な説明】
【００８０】
【図１】本発明の実施の形態１に係る異常検出回路を含む放電管点灯回路の構成を示す回路図である。
【図２】正常状態での図１の回路における各部の電圧波形または電流波形の一例を示す図である。
【図３】トランスＴ２の二次側巻線の低圧側に異常がある場合の、図１の回路における各部の電圧波形または電流波形の一例を示す図である。
【図４】トランスＴ１の二次側巻線の低圧側に異常がある場合の、図１の回路における各部の電圧波形または電流波形の一例を示す図である。
【図５】本発明の実施の形態２に係る異常検出回路を含む放電管点灯回路の構成を示す回路図である。
【図６】本発明の実施の形態３に係る異常検出回路を含む放電管点灯回路の構成を示す回路図である。
【図７】本発明の実施の形態４に係る異常検出回路を含む放電管点灯回路の構成を示す回路図である。
【符号の説明】
【００８１】
２Ａ，２Ｂ  放電管ランプ（放電管ランプの一例）
３  出力回路（出力回路の一例）
４  判定回路（判定回路の一例）
２１  電流検出回路（電流検出回路の一例）
Ｄ１  ダイオード（第１の整流素子の一例）
Ｄ２  ダイオード（第２の整流素子の一例）
Ｔ１  トランス（第１のトランスの一例）
Ｔ２  トランス（第２のトランスの一例）
【図１】
2010015884.tif 000003
【図２】
2010015884.tif 000004
【図３】
2010015884.tif 000005
【図４】
2010015884.tif 000006
【図５】
2010015884.tif 000007
【図６】
2010015884.tif 000008
【図７】
2010015884.tif 000009